(57)【要約】【課題】開口域を形成する切り込み線があってもバリア性が低下しないで、かつ、開封しやすい包装体を得る。【解決手段】少なくとも基材層とバリア層とシーラント層を含む積層体（２）からなり、立体形状に形成された包装体（１）であって、包装体の少なくとも一面に開口部（４）を有し、前記開口部に対し、ラベルバリア層と粘着層とを有する粘着ラベル（３）が、上記包装体の開口部外面に接着し、上記粘着ラベルに接着した積層体の開口部が、内面から切り込み（４１）によって開口し、粘着ラベルは、その接着した上記開口部の外縁に開口粘着帯域を有することを特徴とする包装体。【選択図】図１
2020172284.tif 000002
【特許請求の範囲】
【請求項１】
少なくとも基材とバリア層とシーラント層を含む積層体からなり、立体形状に形成された包装体であって、
包装体の少なくとも一面に開口部を有し、
前記開口部に対し、ラベルバリア層と粘着層とを有する粘着ラベルが、上記包装体の開口部外面に接着し、
上記粘着ラベルに接着した積層体の開口部が、内面から切り込みによって開口し、
粘着ラベルは、その接着した上記開口部の外縁に開口粘着帯域を有することを特徴とする包装体。
【請求項２】
前記切り込みが、一部に開いた系で形成されていることを特徴とする請求項１に記載の包装体。
【発明の詳細な説明】
【技術分野】
【０００１】
本発明は、少なくとも一面に開口部を有する包装体に関する。
【背景技術】
【０００２】
内容物を収納可能な包装体が提案されている。例えば、特許文献１では、可撓性包装構造体により形成された包装容器が記載されている。
この可撓性包装構造体では、第一の構造体は感圧接着剤および恒久的積層接着剤を介して第二の構造体と積層されている。第一の構造体を貫通し第二の構造体内に延長しないように第一の切り込み線が設けられている。第二の構造体を貫通し第一の構造体に延長しないように第二の切り込み線が設けられている。第二の切り込み線は、第一の切り込み線から内方に離間している。
この可撓性包装構造体では、第一の切り込み線および第二の切り込み線によって外側構造体と内側構造体とが分離されることで開口が形成される。
外側構造体の周辺領域に配置された感圧接着剤によって外側構造体は内側構造体に再付着することが可能である。
【０００３】
この可撓性包装構造体では、第一の切り込み線と第二の切り込み線によって、外側構造体と内側構造体とが分離されることで開口域が形成される。
この時、バリア性を付与するように、第二の構造体にのみバリア層を設けた場合、切り込み線によってバリア層が破断し、バリア性が著しく低下してしまう問題が発生していた。
【先行技術文献】
【特許文献】
【０００４】
【特許文献１】特開２０１４−２８６６０号公報
【発明の概要】
【発明が解決しようとする課題】
【０００５】
そこで、開口域を形成する切り込み線があってもバリア性が低下しないで、かつ、開封しやすい包装体を得るのが、本発明の課題である。
【課題を解決するための手段】
【０００６】
本発明の包装体は、
少なくとも基材とバリア層とシーラント層を含む積層体からなり、立体形状に形成された包装体であって、
包装体の少なくとも一面に開口部を有し、
前記開口部に対し、ラベルバリア層と粘着層とを有する粘着ラベルが、上記包装体の開口部外面に接着し、
上記粘着ラベルに接着した積層体の開口部が、内面から切り込みによって開口し、
粘着ラベルは、その接着した上記開口部の外縁に開口粘着帯域を有することを特徴とする包装体である。
【発明の効果】
【０００７】
本発明の包装体は、少なくとも基材とバリア層とシーラント層を含む積層体からなる包装体開口部に、ラベルバリア層と粘着層とを有する粘着ラベルを接着し、開口部では積層体に切り込みが入っているが、切り込まれていない粘着ラベルのバリア層によって、バリア性が確保される。
【図面の簡単な説明】
【０００８】
【図１】本発明の包装体の第一実施形態例と、その開口域周縁の断面を示す図である。
【図２】本発明の包装体の第一実施形態例において、開口域を開口する状態を示す斜視図と、その開口開始時の縦断面における部分拡大図である。
【図３】本発明の包装体の第二実施形態例において、開口域を開口する状態を示す斜視図である。
【発明を実施するための形態】
【０００９】
以下、本発明の包装体の実施形態例について、図を用いて詳細に説明する。
図１は、本発明の包装体１で、積層体からなり、立体形状に形成された包装体の第一実施形態例と、その開口部周縁の断面を示す図である。
図１−１に示すように、本発明の包装体１は、少なくとも基材層とバリア層とシーラント層を含む積層体フィルムを使用し、フィルム周縁を融着するなどして、直方体形状、又は三角錐などのような立体形状に加工した包装体１である。
包装体１を構成する積層体２の構成は、図１−２で示されるように、少なくとも基材２２とバリア層２３とシーラント層２１からなる積層体２によって構成され、開口部４には、少なくともラベルバリア層３３と粘着層３２とを有する粘着ラベル３が接着している。
【００１０】
本発明の包装体１は、その少なくとも一面に開口部４を有している。
図１−２は、その開口部４で、開口部４に粘着ラベル３が接着した状態を示す部分断面図である。その開口部４の断面に示すように、積層体２には内面のシーラント層２１から基材２２に至るように開口部４周縁の内側に切り込み４１を有している。
【００１１】
前記切り込み４１は粘着ラベル３の外周よりも内側にずれて形成され、そのずれによって、積層体２の基材２２と粘着ラベル３の粘着層３２の面とが粘着と剥離を繰り返せる開口粘着帯域５を形成している。
この開口粘着帯域５によって、開口部４を閉鎖・密閉可能な蓋部４０に形成している。
蓋部４０を開けた場合、積層体２の開口部４部分が粘着ラベル３に接着したまま開口し、かつ、開口部４周縁の開口粘着帯域５は、粘着ラベル３周縁の粘着層３２がむき出しとなり、蓋部４０は、包装体１本体に密着・剥離可能となる。
【００１２】
このような包装体１を形成している積層体２の開口部４部分は、蓋部４０を形成する切り込み４１が閉じた系であってもかまわないが、この図１−１のように、開口部５１の対極位置などの一部が開いた系で形成されていると、開閉で蓋部４０が完全に包装体１本体より切り離されないので、開口粘着帯域５の蓋部４０側と包装体側との位置がずれ難く、安定して開閉が可能になる。
切り込み４１が閉じた系の場合、蓋部４０が包装体１本体から外すことができるので、外した場合、再封する時に、正確に蓋部４０を切り込み４１位置に合わせないと、蓋部４０が開口部４周縁に乗り上げて、再密閉できない恐れが生じやすい。
この為、切り込み４１は、閉じた系であることが望ましい。
【００１３】
図１−２に示すように、切り込み部４１では、切り込みによる破断は、積層体２には内面から基材２２に至り、積層体２のバリア層２３は破断されるが、切り込みの先端は粘着層３２までで止まっている。
また、粘着ラベル３外周では、切り込み部４１よりも広く外側に広げ、粘着ラベル３を確実に密閉可能とする開口粘着帯域５を設けた状態で、外形を形成している。
この時、バリア層２３の破断された切り込み部４１では、粘着ラベル３のラベルバリア層３３があるので、バリア性は完全に確保される。
【００１４】
図２は本発明の包装体の第一実施形態例において、開口域を開口する状態を示す斜視図
と、その開口開始時の縦断面における部分拡大図である。
開口粘着帯域５の内側端部では、切り込み部４１で内面のシーラント層２１から基材２２まで積層体２が破断して開口し、開口部４を形成する。開口した開口部の積層体２は粘着ラベル３の粘着層３２に接着し、粘着ラベル３を引き上げると、そのまま持ち上げられ、開口部４を形成する。
粘着ラベル３外周縁の開口粘着帯域５では、粘着層３２が露出した状態になる。
この為、開口粘着帯域５の外端部である開口開始部５１として、粘着層を塗工しないか、図２−３に示すように、非粘着層５２を部分的に塗工したり、粘着層表面に粘着性のないラベル等を貼り付けたりしても良い。
そのような開口開始部５１に爪等を差し込んだり、あるいは、内側に対して外側を下方に押し下げて変形させるなどすると、粘着層３２と基材層２２が剥離し、図２−２に示すように、蓋部４０が浮き上がり、開口部４を開くことができる。
【００１５】
図３は、本発明の包装体の第二実施形態例において、開口域を開口する状態を示す斜視図である。
本発明の包装体１は、内面および外面を有する立体形状に形成された包装体１であって、開口部はその一平面であることが望ましいが、開口開始部５１近傍が１平面で、かつ、開口粘着帯域５が主に平面で形成されているのであれば、隣の側面にまたがった開口域を形成して平面の組み合わせとなる開口粘着帯域５を有する包装体１であってもかまわない。この第二実施形態例では前面から上面に渡って開口部４が形成されている。
【００１６】
本発明の包装体に使用される粘着ラベルの粘着層に使用する粘着剤としては、アクリル系粘着剤やウレタン系粘着剤が良いが、隙間なく再封鎖しやすいシリコーン系粘着剤であってもよい。
このような粘着力を調整する為、包装体本体の基材の表面にシリコーン系等の剥離層を部分的に塗工してもかまわない。
【００１７】
本発明の包装体で、本体に使用する積層体や粘着ラベルに使用されるバリア層としては、アルミニウム箔、錫箔などの金属箔や、ポリエチレンテレフタレートやポリアミドなどの基材フィルムに酸化珪素などの酸化金属やアルミニウムなどの金属を蒸着した蒸着層、エチレン・酢酸ビニル共重合体鹸化物やポリアミドなどのバリアフィルムなども使用することができる。
金属箔を使用すると、遮光性により、内容物の劣化をより防ぐことができる。逆に、酸化金属蒸着を採用すると、透明性により、内容物を確認しながら取り出せるなどのメリットがある。
さらに、バリア性樹脂の塗工を施したバリアコート層も使用できる。例えば、ポリビニリデンやポリビニルアルコール、セルロースナノファイバー、あるいはそれらを含む共重合体などを含有する塗工液である。
さらに、これらが積層する時に発泡するのを抑える接着剤も併せて塗工することが望ましい。
【００１８】
本発明の包装体に使用される積層体や粘着ラベルの基材としては、二軸延伸ポリエチレンテレフタレートフィルムや、二軸延伸ポリプロピレンフィルム、二軸延伸ポリアミドフィルム、紙などが使用できる。
また、ヒートシール性延伸ポリプロピレンフィルムや、静電気防止無延伸ポリプロピレンフィルムなどを使用し、ガゼットやマチの端部を融着したりしてリジッド性を持たせた包装体としてもよい。
【００１９】
本発明の包装体に使用される積層体のシーラント層としては、ポリエチレン、無延伸ポリプロピレン、エチレン・プロピレン共重合体、エチレン・酢酸ビニル共重合体、アイオ
ノマー樹脂、エチレン・メタクリル酸共重合体、エチレン・アクリル酸共重合体、エチレン・エチルアクリレート共重合体、エチレン・ブチルアクリレート共重合体などが使用出来る。
【００２０】
以上のことから、実際の構成例としては、外側から、（粘着ラベル）／／（包装体）の組み合わせる構成例として、
＜構成例１＞
（粘着ラベル）二軸延伸ポリエチレンテレフタレート（２５〜１００μｍ）・酸化金属蒸着層／粘着層（５〜２０μｍ）／／（包装体）（ヒートシール面）ヒートシール性二軸延伸ポリプロピレン（３０μｍ）／ポリビニリデンコート層／低密度ポリエチレン（３０〜５０μｍ）。
【００２１】
＜構成例２＞
（粘着ラベル）二軸延伸ポリエチレンテレフタレート（２５〜１００μｍ）・酸化金属蒸着層／粘着層（５〜２０μｍ）／／（包装体）二軸延伸ポリエチレンテレフタレート（１２〜２５μｍ）・酸化金属蒸着層／低密度ポリエチレン（３０〜５０μｍ）。
【００２２】
＜構成例３＞
（粘着ラベル）二軸延伸ポリエチレンテレフタレート（２５〜１００μｍ）／酸化金属蒸着層・二軸延伸ポリエチレンテレフタレート（１２〜２５μｍ）／粘着層（５〜２０μｍ）／／（包装体）（ヒートシール面）ヒートシール性二軸延伸ポリプロピレン（３０μｍ）／ポリビニリデンコート層／低密度ポリエチレン（３０〜５０μｍ）。
【００２３】
＜構成例４＞
（粘着ラベル）二軸延伸ポリエチレンテレフタレート（１２〜２５μｍ）・酸化金属蒸着層／二軸延伸ポリエチレンテレフタレート（２５〜１００μｍ）／粘着層（５〜２０μｍ）／／（包装体）（ヒートシール面）ヒートシール性二軸延伸ポリプロピレン（３０μｍ）／ポリビニリデンコート層／低密度ポリエチレン（３０〜５０μｍ）。
【００２４】
＜構成例５＞
（粘着ラベル）二軸延伸ポリエチレンテレフタレート（２５〜１００μｍ）／ポリビニリデンコート層／二軸延伸ポリエチレンテレフタレート（１２〜１００μｍ）／粘着層（５〜２０μｍ）／／（包装体）（ヒートシール面）ヒートシール性二軸延伸ポリプロピレン（３０μｍ）／ポリビニリデンコート層／低密度ポリエチレン（３０〜５０μｍ）。
【００２５】
＜構成例６＞
（粘着ラベル）二軸延伸ポリエチレンテレフタレート（１２〜２５μｍ）・酸化金属蒸着層／二軸延伸ポリエチレンテレフタレート（２５〜１００μｍ）／粘着層（５〜２０μｍ）／／（包装体）紙（５０〜２００ｇ／ｍ２）・カーボンナノファイバー塗工層／低密度ポリエチレン（３０〜５０μｍ）。
【００２６】
＜構成例７＞
（粘着ラベル）二軸延伸ポリエチレンテレフタレート（１２〜２５μｍ）・酸化金属蒸着層／二軸延伸ポリエチレンテレフタレート（２５〜１００μｍ）／粘着層（５〜２０μｍ）／／（包装体）紙（５０〜２００ｇ／ｍ２）／低密度ポリエチレン（１０〜３０μｍ）／二軸延伸ポリエチレンテレフタレート（１２μｍ）・酸化金属蒸着層／低密度ポリエチレン（１０〜５０μｍ）。
【００２７】
＜構成例８＞
（粘着ラベル）二軸延伸ポリエチレンテレフタレート（１２〜２５μｍ）・酸化金属蒸着
層／二軸延伸ポリエチレンテレフタレート（２５〜１００μｍ）／粘着層（５〜２０μｍ）／／（包装体）紙（５０〜２００ｇ／ｍ２）／低密度ポリエチレン（１０〜３０μｍ）／アルミニウム箔（７〜２０μｍ）／低密度ポリエチレン（１０〜３０μｍ）、
などが考えられる。
【００２８】
本発明の包装体は以上のようなもので、積層体と粘着ラベル、それぞれにバリア層を設けることによって、開口部の切り込みがあっても、バリア性を高く維持可能とする。しかも、汎用の量産機を使用して生産できるなど、生産性が高く、量産性も高い包装体であり、本発明の包装体のメリットは大きい。
【符号の説明】
【００２９】
１・・・・・・・・包装体
２・・・・・・・・積層体
２１・・・・・・・シーラント層
２２・・・・・・・基材
２３・・・・・・・バリア層
３・・・・・・・・粘着ラベル
３１・・・・・・・ラベル基材層
３２・・・・・・・粘着層
３３・・・・・・・ラベルバリア層
４・・・・・・・・開口部
４０・・・・・・・蓋部
４１・・・・・・・切り込み部
５・・・・・・・・開口粘着帯域
５１・・・・・・・開口開始部
５２・・・・・・・非粘着層
【図１】
2020172284.tif 000003
【図２】
2020172284.tif 000004
【図３】
2020172284.tif 000005